(57)【要約】【課題】  繊維状の厨芥や、水面に浮遊しやすい厨芥も効果的に粉砕することができる厨芥処理装置を提供する。【解決手段】  本発明は、洗浄水と共に厨芥を粉砕処理する厨芥処理装置（１）であって、厨芥投入口（２ａ）を上方に形成した厨芥処理室（２）と、この中に配置された回転板（４）と、これを回転駆動する駆動手段（６）と、回転板の上側に配置され、回転板の上に投入された厨芥を粉砕する上側粉砕手段（８、１０）と、厨芥及び洗浄水を排出するために、回転板よりも下側に形成された排出口を備えた排出部（１８）と、厨芥及び洗浄水が厨芥処理室内に所定量滞留するように、厨芥処理室内の水位を制御する水位制御手段（１６、２２、２４）と、厨芥処理室内の回転板より下側に滞留している厨芥及び洗浄水を攪拌する攪拌手段（１２）と、厨芥処理室内に滞留している厨芥を粉砕する下側粉砕手段（１４）と、を有することを特徴としている。【選択図】      図１
2006297186.tif 000002
【特許請求の範囲】
【請求項１】
洗浄水と共に厨芥を粉砕処理する厨芥処理装置であって、
厨芥を投入する厨芥投入口を上方に形成した厨芥処理室と、
この厨芥処理室の中に配置された回転板と、
この回転板を回転駆動する駆動手段と、
上記回転板の下面よりも上側に配置され、上記厨芥投入口から上記回転板の上に投入された厨芥を粉砕する上側粉砕手段と、
粉砕されて上記回転板の下に落ちた厨芥及び洗浄水を排出するために、上記厨芥処理装置の上記回転板よりも下側に形成された排出口を備えた排出部と、
厨芥及び洗浄水が上記厨芥処理室内に所定量滞留するように、上記厨芥処理室内の水位を制御する水位制御手段と、
上記厨芥処理室の上記回転板よりも下側に配置され、回転駆動されることによって上記厨芥処理室内に滞留している厨芥及び洗浄水を攪拌する攪拌手段と、
上記厨芥処理室の上記回転板よりも下側に配置され、上記厨芥処理室内の回転板より下側に滞留している厨芥を粉砕する下側粉砕手段と、
を有することを特徴とする厨芥処理装置。
【請求項２】
上記攪拌手段が、上記回転板の下面から、下方に延びるように取り付けられている請求項１記載の厨芥処理装置。
【請求項３】
上記下側粉砕手段が、上記厨芥処理室の底面から上方に延びる櫛歯状に配列された複数の固定突起によって構成され、上記攪拌手段が、上記回転板に対して概ね直交する方向に延び、上記各固定突起の間を通るように配列された複数の移動突起によって構成されている請求項２記載の厨芥処理装置。
【請求項４】
上記駆動手段は、上記厨芥処理室の底面から上方に延びる、上記回転板が取り付けられた出力軸を備え、上記下側粉砕手段は、上記出力軸から放射状に延びるように取り付けられている請求項１又は２記載の厨芥処理装置。
【請求項５】
上記駆動手段は、上記厨芥処理室の底面から上方に延びる、上記回転板が取り付けられた出力軸を備え、上記攪拌手段及び上記下側粉砕手段は、上記出力軸から放射状に延びるように取り付けられている請求項１記載の厨芥処理装置。
【請求項６】
上記水位制御手段は、上記攪拌手段を、上記厨芥処理室内の厨芥及び洗浄水の上記排出口への流れを妨げる方向に、又は流れを促進する方向に回転させることにより、或いは、上記攪拌手段の回転を停止させることにより水位を制御する請求項１乃至５の何れか１項に記載の厨芥処理装置。
【請求項７】
上記水位制御手段は、上記排出口を開閉する開閉弁と、上記給水手段によって上記厨芥処理室内に供給される洗浄水の量を制御する給水量制御手段と、を有する請求項１乃至５の何れか１項に記載の厨芥処理装置。
【請求項８】
上記水位制御手段は、上記厨芥処理室内の水位を検出する水位センサを有し、上記水位センサの検出結果に基づいて水位を制御する請求項１乃至７の何れか１項に記載の厨芥処理装置。
【発明の詳細な説明】
【技術分野】
【０００１】
本発明は、厨芥処理装置に係わり、特に、投入された厨芥を粉砕して排出する厨芥処理装置に関する。
【背景技術】
【０００２】
特開２０００−８４４３０号公報（特許文献１）には、粉砕処理装置が記載されている。この粉砕処理装置は、処理物である厨芥を固定刃と回転刃によって粉砕する粉砕室と、粉砕室で粉砕された厨芥と水が流入する粉砕物流入室と、粉砕物流入室から粉砕された厨芥を排出させる排水路と、粉砕室と粉砕物流入室を連通させる循環路と、を備えている。粉砕室で粉砕された厨芥及び水は、粉砕物流入室へ流入し、粉砕物流入室から循環路を通って再び粉砕室に戻される。粉砕室に戻された厨芥は、固定刃と回転刃によって再度粉砕され、粉砕物流入室へ流入する。これにより、厨芥は、粉砕室と粉砕物流入室を循環しながら固定刃と回転刃によって何度も粉砕されるので、厨芥は、より微細に粉砕される。
【０００３】
【特許文献１】特開２０００−８４４３０号公報
【発明の開示】
【発明が解決しようとする課題】
【０００４】
しかしながら、特開２０００−８４４３０号公報記載の粉砕処理装置では、粉砕室内における固定刃と回転刃による粉砕を繰り返すだけであるため、それらの刃による粉砕が困難な種類の厨芥を効果的に粉砕することが難しいという問題がある。また、特開２０００−８４４３０号公報記載の粉砕処理装置では、粉砕室で粉砕され、粉砕物流入室へ落ちた厨芥がそれらの室の間を循環することになるので、粉砕室内で水面に浮遊している厨芥は、固定刃及び回転刃の部分を通ることがなく、粉砕することができないという問題がある。特に、繊維状の厨芥は、すり潰しによる粉砕では、細かく粉砕することが難しく、また、水面に浮遊しやすいため、粉砕されずに残りやすいという問題がある。さらに、細かく粉砕することができなかった厨芥が粉砕処理装置から排出されると、排水管の詰まりの原因となるという問題がある。
【０００５】
従って、本発明は、繊維状の厨芥や、水面に浮遊しやすい厨芥も効果的に粉砕することができる厨芥処理装置を提供することを目的としている。
【課題を解決するための手段】
【０００６】
上述した課題を解決するために、本発明は、洗浄水と共に厨芥を粉砕処理する厨芥処理装置であって、厨芥を投入する厨芥投入口を上方に形成した厨芥処理室と、この厨芥処理室の中に配置された回転板と、この回転板を回転駆動する駆動手段と、回転板の下面よりも上側に配置され、厨芥投入口から回転板の上に投入された厨芥を粉砕する上側粉砕手段と、粉砕されて回転板の下に落ちた厨芥及び洗浄水を排出するために、厨芥処理装置の回転板よりも下側に形成された排出口を備えた排出部と、厨芥及び洗浄水が厨芥処理室内に所定量滞留するように、厨芥処理室内の水位を制御する水位制御手段と、厨芥処理室の回転板よりも下側に配置され、回転駆動されることによって厨芥処理室内に滞留している厨芥及び洗浄水を攪拌する攪拌手段と、厨芥処理室の回転板よりも下側に配置され、厨芥処理室内の回転板より下側に滞留している厨芥を粉砕する下側粉砕手段と、を有することを特徴としている。
【０００７】
このように構成された本発明においては、厨芥投入口を介して厨芥処理室に投入された厨芥は、回転板上に落下する。回転板上の厨芥は、回転板が駆動手段によって回転駆動されると、上側粉砕手段によって粉砕され、供給された洗浄水と共に回転板の下に落下する。回転板の下に落ちた厨芥及び洗浄水は、水位制御手段によって厨芥処理室内に所定量滞留される。厨芥処理室内に滞留する厨芥及び洗浄水は攪拌手段によって攪拌され、下側粉砕手段は滞留している厨芥をさらに粉砕する。粉砕された厨芥及び洗浄水は、厨芥処理室内に滞留した後、排出口を通って排出される。
【０００８】
このように構成された本発明によれば、厨芥及び洗浄水を厨芥処理室内に滞留させながら粉砕するので、厨芥をより微細に粉砕することができる。また、このように構成された本発明によれば、厨芥処理室内に滞留する厨芥及び洗浄水を、攪拌手段によって攪拌しながら粉砕するので、水面に浮遊しやすい厨芥を洗浄水中に沈めることができ、これを効果的に粉砕することができる。これにより、繊維状の厨芥等、粉砕することが困難であった厨芥も十分に微粉砕することができ、排水管等の詰まりを防止することができる。さらに、このように構成された本発明によれば、下側粉砕手段は厨芥処理室内に滞留する洗浄水の中で厨芥を粉砕するので、粉砕時に発生する騒音を低減することができる。
【０００９】
本発明において、好ましくは、攪拌手段は、回転板の下面から、下方に延びるように取り付けられている。
このように構成された本発明によれば、攪拌手段は、回転板と共に回転されるので、攪拌手段を駆動するための特別な手段を設けることなく、厨芥処理室内に滞留する厨芥及び洗浄水を攪拌することができる。
【００１０】
本発明において、好ましくは、下側粉砕手段は、厨芥処理室の底面から上方に延びる櫛歯状に配列された複数の固定突起によって構成され、攪拌手段は、回転板に対して概ね直交する方向に延び、各固定突起の間を通るように配列された複数の移動突起によって構成されている。
【００１１】
このように構成された本発明によれば、攪拌手段は、回転板と共に回転されるので、攪拌手段を駆動するための特別な手段を設けることなく、厨芥処理室内に滞留する厨芥及び洗浄水を攪拌することができる。また、このように構成された本発明によれば、厨芥処理室内の厨芥は、固定突起と移動突起の間で剪断されるように粉砕されるので、特に繊維状の厨芥を効果的に粉砕することができる。
【００１２】
本発明において、好ましくは、駆動手段は、厨芥処理室の底面から上方に延びる、回転板が取り付けられた出力軸を備え、下側粉砕手段は、出力軸から放射状に延びるように取り付けられている。
このように構成された本発明によれば、下側粉砕手段は、回転板を駆動する出力軸と共に回転されるので、下側粉砕手段を駆動するための特別な手段を設けることなく、回転する下側粉砕手段によって厨芥処理室内に滞留する厨芥を粉砕することができる。
【００１３】
本発明において、好ましくは、駆動手段は、厨芥処理室の底面から上方に延びる、回転板が取り付けられた出力軸を備え、攪拌手段及び下側粉砕手段は、出力軸から放射状に延びるように取り付けられている。
このように構成された本発明によれば、攪拌手段及び下側粉砕手段は、回転板を駆動する出力軸と共に回転されるので、特別な駆動手段を設けることなく、攪拌手段を回転させ、厨芥処理室内に滞留する厨芥を回転する下側粉砕手段によって粉砕することができる。
【００１４】
本発明において、好ましくは、水位制御手段は、攪拌手段を、厨芥処理室内の厨芥及び洗浄水の排出口への流れを妨げる方向に、又は流れを促進する方向に回転させることにより、或いは、攪拌手段の回転を停止させることにより水位を制御する。
このように構成された本発明によれば、攪拌手段の回転方向等により水位を制御しているので、排出口を開閉するための特別な手段を設けることなく、厨芥及び洗浄水を厨芥処理室内に滞留させ、厨芥処理室内の水位を制御することができる。
【００１５】
本発明において、好ましくは、水位制御手段は、排出口を開閉する開閉弁と、給水手段によって厨芥処理室内に供給される洗浄水の量を制御する給水量制御手段と、を有する。
このように構成された本発明によれば、厨芥処理室内の水位が、排出口を開閉する開閉弁と、洗浄水の供給量を制御する給水量制御手段によって制御されるので、攪拌手段の回転とは無関係に水位を制御することができる。
【００１６】
本発明において、好ましくは、水位制御手段は、厨芥処理室内の水位を検出する水位センサを有し、水位センサの検出結果に基づいて水位を制御する。
このように構成された本発明によれば、厨芥処理室内の水位を水位センサによって検出し、これに基づいて水位を制御しているので、厨芥処理室内の水位を正確に設定することができる。
【発明の効果】
【００１７】
本発明の厨芥処理装置によれば、繊維状の厨芥や、水面に浮遊しやすい厨芥も効果的に粉砕することができる。
【発明を実施するための最良の形態】
【００１８】
次に、添付図面を参照して、本発明の好ましい実施形態を説明する。
まず、図１乃至図５を参照して、本発明の第１実施形態による厨芥処理装置を説明する。図１は、本発明の第１実施形態による厨芥処理装置全体を示す断面図である。図２は本実施形態の厨芥処理装置に使用されている回転板の上面側を示す斜視図であり、図３は下面側を示す斜視図である。図４は、図１のIV−IV線に沿う、厨芥処理装置の厨芥処理室の下部を示す断面斜視図である。図５は、厨芥処理室の排出口に設けられたフラッパ弁の作用を示す断面図である。
【００１９】
図１に示すように、本発明の第１実施形態による厨芥処理装置１は、台所のシンクＳの下部に配置された厨芥処理室２と、この厨芥処理室２の中間部に、水平方向に配置された円板状の回転板４と、厨芥処理室２の下に配置され、回転板４を回転駆動する駆動手段であるモーター６と、を有する。また、回転板４の上面には２つのスイングハンマー８が取り付けられ、回転板４の下面には攪拌手段である２枚の羽根１２が取り付けられている。また、厨芥処理室２の内壁の、スイングハンマー８に対向する部分には固定刃１０が取り付けられている。本実施形態において、スイングハンマー８及び固定刃１０は、上側粉砕手段を構成する。
【００２０】
さらに、モーター６の出力軸６ａの中間部には、下側粉砕手段である切断ブレード１４が取り付けられている。また、厨芥処理室２の下部内壁には、厨芥処理室２内の洗浄水の攪拌を効果的にするための４つの円周突起１５が形成されている。さらに、厨芥処理室２の下部には、厨芥処理室２内の洗浄水を流出させる排出口１８ａが形成された排出部１８が設けられている。また、本実施形態による厨芥処理装置１は、厨芥処理室２内に所定量の洗浄水を供給するための給水量制御手段である給水装置１６と、排出口１８ａを開閉する開閉弁であるフラッパ弁２０と、厨芥処理室２内の水位を検出する水位センサである圧力計２２と、を有する。さらに、厨芥処理装置１は、圧力計２２の検出結果に基づいて、厨芥処理室２内の水位を制御するコントローラ２４を有する。なお、本実施形態において、給水装置１６、フラッパ弁２０、圧力計２２、及びコントローラ２４は、水位制御手段を構成する。
【００２１】
厨芥処理室２は、上方に開口した投入口２ａを備え、この投入口２ａは、シンクＳの底面に設けられた排水口Ｓ１と連通するように配置されている。また、厨芥処理室２は、概ね円筒状であり、上端の投入口２ａにおいて内径が小さく、回転板４が配置されている中間部付近から下方において内径が大きくなるように形成されている。さらに、厨芥処理室２の回転板４よりも上方の位置には吐水口２ｂが形成されており、給水装置１６から供給された洗浄水は、この吐水口２ｂから吐水される。また、厨芥処理室２の底面の中心から、モーター６の出力軸６ａが鉛直上方に延び、その上端には回転板４が取り付けられている。
【００２２】
図２及び図３に示すように、回転板４は円形の金属板であり、その中心がモーター６の出力軸６ａに取り付けられて、厨芥処理室２の内部で回転駆動される。また、回転板４の周縁部には、主に洗浄水を回転板４の下に流出させるための１２個の円孔４ａが空けられている。
【００２３】
さらに、図２に示すように、回転板４の上面には、２つのスイングハンマー８が回転可能に取り付けられている。各スイングハンマー８は、回転板４の中心に対して対称の位置に、回転軸８ａを中心に回転可能に取り付けられている。スイングハンマー８は、概ね長方形状であり、回転軸８ａに支持されている基端部で薄く、先端部の厚さが厚くなるように形成されている。また、スイングハンマー８は、その先端部が回転板４の周縁に沿うように円弧状に形成されている。スイングハンマー８は、回転板４の半径方向に向けられたとき、その先端が回転板４の周縁よりも僅かに内側に位置するように位置決めされている。
【００２４】
また、図１に示すように、厨芥処理室２の内周壁の、スイングハンマー８に対向する位置には、固定刃１０が取り付けられている。固定刃１０は、複数の長方形状の金属刃を、厨芥処理室２の内壁の円周に沿って等間隔に配置したものである。厨芥処理室２に投入された厨芥は、固定刃１０の各金属刃のエッジ（図示せず）とスイングハンマー８の間に挟まれ、すり潰されるように粉砕される。
【００２５】
さらに、図３に示すように、回転板４の下面には、厨芥処理室２内の洗浄水及び厨芥を攪拌するための２つの羽根１２が取り付けられている。各羽根１２は、概ね長方形板状であり、回転板４の中心に対して対称の位置に、回転板４から鉛直下方に延びるように取り付けられている。また、各羽根１２は、回転板４の半径方向に対して所定の角度傾斜するように向けられている。さらに、回転板４上面のスイングハンマー８と、回転板４下面の羽根１２は、回転板４の円周上で９０゜ずつ間隔を空けて交互に配置されている。
【００２６】
次に、図４に示すように、下側粉砕手段である切断ブレード１４は、厨芥処理室２の底面から上方に延びるモーター６の出力軸６ａの中間部に取り付けられている。２枚の切断ブレード１４は、出力軸６ａに対して対称の位置に、即ち、出力軸６ａの両側に一直線に延びるように配置されている。各切断ブレード１４は、先端が尖った細長い薄板状であり、周縁部が薄くなるように形成されている。また、各切断ブレード１４は、その先端が斜め上方に向くように、折り曲げられている。
【００２７】
さらに、厨芥処理室２の内周下部には、４つの円周突起１５が形成されている。この円周突起１５は、半円柱状の形状を有し、厨芥処理室２の内周壁に９０゜ずつ間隔を空けて配置されている。各円周突起１５は、厨芥処理室２の底面から、回転板４下面の羽根１２の下端よりも僅かに下方の位置まで延びている。
【００２８】
また、厨芥処理室２の下部には、排出部１８が形成されている。排出部１８は、厨芥処理室２の半径方向に延びる円筒形のパイプ状であり、厨芥処理室２の下部側面の内壁に形成された排出口１８ａに連通している。厨芥処理室２内の粉砕された厨芥及び洗浄水は、フラッパ弁２０が開放されると、排出部１８を通って下流に排出される。また、排出部１８の下側内壁面には、圧力計２２が取り付けられ、厨芥処理室２内の水位を検出できるようになっている。
【００２９】
次に、図５に示すように、フラッパ弁２０は、排出部１８の出口端に設けられている。フラッパ弁２０は、支軸２０ａを中心に回動可能に構成されており、図５（ａ）に示すように閉鎖されているときは、厨芥処理室２内の洗浄水及び厨芥の流出を阻止し、図５（ｂ）に示すように開放されると、洗浄水及び厨芥を下流に流出させる。
【００３０】
また、図１に示すように、給水装置１６が、厨芥処理室２内に洗浄水を供給するように設けられている。給水装置１６は、水道水の厨芥処理室２内への給水及び停止を切替える給水弁１６ａと、厨芥処理室２内の洗浄水の水道への逆流を阻止するバキュームブレーカ１６ｂと、バキュームブレーカ１６ｂから厨芥処理室２に洗浄水を供給する給水管路１６ｃと、を有する。バキュームブレーカ１６ｂは、給水弁１６ａの下流側に設けられており、水道の上流側が負圧になった場合に、厨芥処理室２から水道に汚水が逆流するのを防止するように構成されている。給水管路１６ｃは、バキュームブレーカ１６ｂから厨芥処理室２に洗浄水を導くように接続されており、給水管路１６ｃから供給された洗浄水は、回転板４よりも上方の吐水口２ｂから厨芥処理室２内に流入するように構成されている。
【００３１】
また、コントローラ２４は、圧力計２２による検出信号に基づいて、給水弁１６ａ及びフラッパ弁２０に制御信号を出力し、それらを開閉させるように構成されている。また、コントローラ２４は、モーター６に制御信号を送り、これを起動、停止させるように構成されている。具体的には、コントローラ２４は、マイクロプロセッサ、メモリ、及びそれらを作動させるプログラム（以上図示せず）等から構成されている。
【００３２】
次に、本発明の第１実施形態による厨芥処理装置１の作用を説明する。まず、使用者は、粉砕すべき厨芥を、投入口２ａを介して厨芥処理室２内に投入する。投入された厨芥は、厨芥処理室２内に配置された回転板４上に落下する。次いで、使用者は、シンクＳの排水口Ｓ１の蓋を閉め、厨芥処理装置１の作動スイッチ（図示せず）を操作する。厨芥処理装置１が作動されると、コントローラ２４によって、開放されていたフラッパ弁２０が閉鎖され、モーター６が作動され、さらに、給水弁１６ａが開放される。給水弁１６ａが開放されると、給水弁１６ａ、バキュームブレーカ１６ｂ、及び給水管路１６ｃを通って水道水が厨芥処理室２内に流入する。また、モーター６が作動されると、その出力軸６ａに取り付けられた回転板４が回転され、回転板４上の厨芥は遠心力によって、回転板４の周縁部に移動する。なお、本実施形態においては、回転板４は、毎分約２０００回転の回転数で回転駆動される。好ましくは、回転板４の回転数は、毎分１５００乃至３０００回転にする。
【００３３】
回転板４の周縁部に移動した厨芥は、スイングハンマー８と固定刃１０の間に挟まれ、すり潰されるように粉砕される。また、スイングハンマー８は、その先端部が大きく形成されているため、回転板４の回転による遠心力によって、半径方向に向くように力を受ける。この力は、スイングハンマー８の先端と固定刃１０の間の距離を狭くするように働き、スイングハンマー８と固定刃１０の間の厨芥は効果的に粉砕される。スイングハンマー８及び固定刃１０によって粉砕された厨芥は、回転板４の周縁と厨芥処理室２の内壁の間を通って、給水管路１６ｃから厨芥処理室２内に流入した洗浄水と共に回転板４の下に落下する。
【００３４】
フラッパ弁２０は閉鎖されているため、回転板４の下に落下した厨芥及び洗浄水は、厨芥処理室２の下部に滞留し、２枚の羽根１２によって攪拌される。なお、羽根１２は、回転板４の半径方向に対して傾斜するように向けられているので、羽根１２を半径方向に配置した場合よりも攪拌効果が高くなる。厨芥処理室２内で洗浄水と共に攪拌されている厨芥は、回転板４の下で回転板４と共に回転駆動されている切断ブレード１４によって更に微細に粉砕される。ここで、洗浄水の滞留により厨芥処理室内の水位が高くなった場合でも、回転板４の下に落下した厨芥の回転板４の上側への逆流は、回転板４によって妨げられる。そのため、厨芥を、切断ブレード１４が配置されている回転板４の下側に滞留させることができ、厨芥を微粉砕することが可能になる。また、厨芥処理室２の下部に形成された円周突起１５は、厨芥処理室２内でその内壁に沿った大きな渦流が生成されるのを防止し、厨芥処理室２内の厨芥及び洗浄水がより効果的に攪拌されるようにする。厨芥処理室２内に滞留している厨芥及び洗浄水は十分に攪拌されているため、水面に浮遊しやすい厨芥も洗浄水の中に沈められ、回転する切断ブレード１４によって微細に粉砕される。さらに、厨芥及び洗浄水を厨芥処理室２内に滞留させた状態で粉砕を行っているため、厨芥は度々切断ブレード１４と衝突し、繊維状の厨芥も微粉砕される。
【００３５】
排出部１８に取り付けられた圧力計２２は、厨芥処理室２の底面の静水圧を測定することによって、厨芥処理室２内の水位を時々刻々検出し、その検出信号をコントローラ２４に送る。コントローラ２４は、厨芥処理室２内の水位が、回転板４付近に達すると、フラッパ弁２０に制御信号を送り、フラッパ弁２０を開放させる。なお、本実施形態においては、厨芥処理室２内には、毎分約２リットルの流量で洗浄水が供給される。厨芥処理室２の回転板４の下側の容積は約１リットルであるため、厨芥処理室２内の水位は約３０秒で回転板４の高さに到達する。
【００３６】
また、コントローラ２４は、フラッパ弁２０を開放させると共に、給水弁１６ａに制御信号を送り、給水管路１６ｃからの給水流量を毎分約８リットルに増加させる。このため、厨芥処理室２内に滞留し、微粉砕された厨芥は、多量の洗浄水によって急速に押し流され、排出口１８ａを通って下流に排出される。また、粉砕された厨芥は、多量の洗浄水と共に排出されるので、下水管内に留まることがなく、排水管詰まりが防止される。コントローラ２４は、フラッパ弁２０開放後、約３０秒間洗浄水を供給した後、給水弁１６ａに制御信号を送って給水弁１６ａを閉鎖させると共に、モーター６を停止させる。これにより、１回の粉砕処理が終了する。
【００３７】
本発明の第１実施形態の厨芥処理装置によれば、厨芥及び洗浄水を厨芥処理室内に滞留させながら、回転板よりも下側に配置された下側粉砕手段によって粉砕するので、厨芥をより微細に粉砕することができる。また、本実施形態の厨芥処理装置によれば、厨芥処理室内に滞留する厨芥及び洗浄水を、羽根によって攪拌しながら粉砕するので、水面に浮遊しやすい厨芥を洗浄水中に沈めることができ、これを効果的に粉砕することができる。これにより、繊維状の厨芥等、粉砕することが困難であった厨芥も十分に微粉砕することができ、排水管等の詰まりを防止することができる。さらに、本実施形態の厨芥処理装置によれば、切断ブレードは厨芥処理室内に滞留する洗浄水の中で厨芥を粉砕するので、粉砕時に発生する騒音を低減することができる。
【００３８】
また、本発明の第１実施形態の厨芥処理装置によれば、羽根は、回転板と共に回転されるので、羽根を駆動するための特別な手段を設けることなく、厨芥処理室内に滞留する厨芥及び洗浄水を攪拌することができる。さらに、本実施形態の厨芥処理装置によれば、切断ブレードは、回転板を駆動する出力軸と共に回転されるので、切断ブレードを駆動するための特別な手段を設けることなく、回転する切断ブレードによって厨芥処理室内に滞留する厨芥を粉砕することができる。
【００３９】
また、本発明の第１実施形態の厨芥処理装置によれば、排出口を開閉するフラッパ弁と、洗浄水の供給量を制御する給水弁及びコントローラによって厨芥処理室内の水位が制御されるので、羽根の回転とは無関係に水位を制御することができる。さらに、本実施形態の厨芥処理装置によれば、厨芥処理室内の水位を圧力計によって検出し、これに基づいて水位を制御しているので、厨芥処理室内の水位を正確に設定することができる。
【００４０】
上述した実施形態においては、厨芥処理室２内の水位を圧力計２２によって検出し、フラッパ弁２０等を制御していたが、圧力計２２を省略することもできる。この場合には、回転板４の駆動開始後、フラッパ弁２０を所定時間閉じた後、フラッパ弁２０を開放する。また、厨芥処理室２内に流入する洗浄水の流量を適正範囲に規定するために、給水装置１６に定流量弁等を設けても良い。
【００４１】
次に、図６乃至図９を参照して、本発明の第２実施形態による厨芥処理装置を説明する。なお、本実施形態による厨芥処理装置は、攪拌手段、下側粉砕手段、水位制御手段等の構成が、第１実施形態とは異なる。従って、ここでは、本発明の第２実施形態の、第１実施形態とは異なる点のみを説明し、同様の構成要素には同一の符号を付して説明を省略する。
【００４２】
図６は、本発明の第２実施形態による厨芥処理装置全体を示す断面図である。図７は本実施形態の厨芥処理装置に使用されている回転板の上面側を示す斜視図であり、図８は下面側を示す斜視図である。図９は、図６のIX−IX線に沿う、厨芥処理装置の厨芥処理室の下部を示す断面斜視図である。
【００４３】
図６に示すように、本発明の第２実施形態による厨芥処理装置１００は、シンクＳの下部に配置された厨芥処理室１０２と、この厨芥処理室１０２の中間部に、水平方向に配置された円板状の回転板１０４と、回転板１０４を回転駆動するモーター６と、を有する。また、回転板１０４の上面には２つのスイングハンマー８が取り付けられ、回転板１０４の下面には攪拌手段である２組の移動突起１１２が取り付けられている。また、厨芥処理室１０２の内壁の、スイングハンマー８に対向する部分には固定刃１０が取り付けられている。本実施形態において、スイングハンマー８及び固定刃１０は、上側粉砕手段を構成する。
【００４４】
さらに、厨芥処理室１０２の底面には、下側粉砕手段である４組の固定突起１１４が設けられている。また、厨芥処理室１０２の下部には、排出口１１８ａが形成された排出部１１８が設けられている。さらに、厨芥処理装置１００は、モーター６の回転を制御するコントローラ１２４を有する。
【００４５】
厨芥処理室１０２は、投入口１０２ａを備え、この投入口１０２ａは、シンクＳの排水口Ｓ１と連通するように配置されている。また、厨芥処理室１０２は、概ね円筒状であり、上端の投入口１０２ａにおいて内径が小さく、回転板１０４が配置されている中間部付近から下方において内径が大きくなるように形成されている。また、厨芥処理室１０２の底面から、モーター６の出力軸６ａが鉛直上方に延び、その上端には回転板１０４が取り付けられている。
【００４６】
図７及び図８に示すように、回転板１０４は円形の金属板であり、その中心がモーター６の出力軸６ａに取り付けられて、厨芥処理室１０２の内部で回転駆動される。また、回転板１０４の周縁部には、主に洗浄水を回転板１０４の下に流出させるための１２個の円孔１０４ａが空けられている。
【００４７】
さらに、図７に示すように、回転板１０４の上面には、２つのスイングハンマー８が取り付けられている。また、図６に示すように、厨芥処理室１０２の内周壁の、スイングハンマー８に対向する位置には、固定刃１０が取り付けられている。
【００４８】
さらに、図８に示すように、回転板１０４の下面には、厨芥処理室１０２内の洗浄水及び厨芥を攪拌するための２組の移動突起１１２が取り付けられている。１組の移動突起１１２は、回転板１０４の下面から鉛直下方に延びる概ね四角柱状の４本の突起から構成されている。４本の突起は、回転板１０４の半径方向に一直線に、櫛歯状に配列されている。４本の突起からなる各組の移動突起１１２は、回転板１０４の中心に対して対称の位置に配置されている。また、回転板１０４上面のスイングハンマー８と、回転板１０４下面の移動突起１１２は、回転板１０４の円周上で９０゜ずつ間隔を空けて交互に配置されている。
【００４９】
次に、図９に示すように、下側粉砕手段である４組の固定突起１１４は、厨芥処理室１０２の底面から鉛直上方に延びるように構成されている。１組の固定突起１１４は、概ね四角柱状の４本の突起から構成されている。４本の突起は、厨芥処理室１０２の半径方向に一直線に、櫛歯状に配列されている。４本の突起からなる各組の固定突起１１４は、厨芥処理室１０２の円周上に、９０゜ずつ間隔を空けて配置されている。また、各固定突起１１４は、回転板１０４と共に回転される移動突起１１２が、各固定突起１１４の間を通過するように配置されている。
【００５０】
また、厨芥処理室１０２の下部には、排出部１１８が形成されている。排出部１１８は、厨芥処理室１０２の接線方向に延びる円筒形のパイプ状であり、厨芥処理室１０２の下部側面の内壁に、その中心に対して偏心して形成された排出口１１８ａに連通している。この構成により、厨芥処理室１０２内の粉砕された厨芥及び洗浄水の排出口１１８ａへの流れは、回転板１０４が図９におけるＤ１方向に回転されたときは妨げられ、回転板１０４がＤ２方向に回転されたときは促進される。
【００５１】
また、コントローラ１２４は、モーター６に制御信号を出力し、モーター６を正転、逆転又は停止させるように構成されている。具体的には、コントローラ１２４は、マイクロプロセッサ、メモリ、及びそれらを作動させるプログラム（以上図示せず）等から構成されている。
【００５２】
次に、本発明の第２実施形態による厨芥処理装置１００の作用を説明する。まず、使用者は、粉砕すべき厨芥を、投入口１０２ａを介して厨芥処理室１０２内に投入すると共に、シンクＳに隣接して設けられた水栓１１６から吐水させる。この水栓１１６からの吐水は、毎分８リットル程度の流量であるのが良い。次いで、使用者は、シンクＳの排水口Ｓ１の蓋を閉め、厨芥処理装置１００の作動スイッチ（図示せず）を操作する。厨芥処理装置１００が作動されると、コントローラ１２４によってモーター６が起動され、回転板１０４が図９におけるＤ１方向に回転される。なお、本実施形態においては、回転板１０４は、毎分約２０００回転の回転数でＤ１方向に回転駆動される。好ましくは、回転板１０４の回転数は、毎分１５００乃至３０００回転にする。
【００５３】
モーター６が作動されると、回転板１０４上の厨芥は、スイングハンマー８と固定刃１０の間に挟まれ、すり潰されるように粉砕される。スイングハンマー８及び固定刃１０によって粉砕された厨芥は、回転板１０４の周縁と厨芥処理室１０２の内壁の間を通って、水栓１１６から吐水され、厨芥処理室１０２内に流入した洗浄水と共に回転板１０４の下に落下する。
【００５４】
回転板１０４はＤ１方向に回転されているため、回転板１０４の下に落下した洗浄水及び厨芥の排出口１１８ａへの流れは、回転板１０４と共に回転される移動突起１１２によって妨げられ、排出部１１８からの排出流量は減少する。即ち、回転板１０４がＤ１方向に回転されると、排出口１１８ａ付近の厨芥及び洗浄水は、移動突起１１２によって、排出口１１８ａから遠ざかるように移動される。このため、排出口１１８ａからの厨芥及び洗浄水の流出が妨げられ、排出流量が減少する。排出部１１８からの排出流量が減少することにより、厨芥処理室１０２内に洗浄水が滞留し、厨芥処理室１０２内の水位が上昇する。本実施形態においては、厨芥処理室１０２内の水位は、回転板１０４の高さ付近まで上昇した位置で平衡状態となる。従って、本実施形態においては、偏心して形成された排出口１１８ａ、及び厨芥及び洗浄水を排出口１１８ａから遠ざかるように移動させる移動突起１１２及びモーター６が、水位制御手段として機能する。
【００５５】
厨芥処理室１０２内に滞留した洗浄水及び厨芥は、回転板１０４と共に回転される移動突起１１２によって攪拌される。また、移動突起１１２は、厨芥処理室１０２内に放射状に配置された４組の固定突起１１４によって仕切られた扇形の空間内を回転移動されながら、この扇形の空間内の厨芥を、固定突起１１４の方に引き寄せる。さらに移動突起１１２が回転移動され、固定突起１１４の配列にさしかかると、移動突起１１２によって移動された厨芥は、移動突起１１２と固定突起１１４の間で剪断され、微粉砕される。厨芥処理室１０２内の洗浄水は、移動突起１１２によって十分に攪拌されているので、水面に浮遊しやすい厨芥も洗浄水の中に沈められ、移動突起１１２と固定突起１１４の間で容易に粉砕される。また、従来の厨芥処理装置では粉砕しにくかった繊維状の厨芥は、回転移動する移動突起１１２に引っ掛かりやすいため、移動突起１１２と固定突起１１４の間に挟まれて容易に微粉砕される。さらに、本実施形態の厨芥処理装置１００では、回転板１０４上で粉砕された厨芥及び洗浄水が、厨芥処理室１０２内にある程度滞留するので、厨芥は、移動突起１１２及び固定突起１１４によって何回も剪断され、微粉砕される。
【００５６】
コントローラ１２４は、図９におけるＤ１方向にモーター６を所定時間回転させた後、モーター６に制御信号を送り、モーター６を図９におけるＤ２方向に回転させる。本実施形態においては、コントローラ１２４は、モーター６を約４０秒間Ｄ１方向に回転させた後、Ｄ２方向に回転させる。また、本実施形態においては、回転板１０４は、毎分約２０００回転の回転数でＤ２方向に回転駆動される。好ましくは、回転板１０４の回転数は、毎分１５００乃至３０００回転にする。
【００５７】
モーター６がＤ２方向に回転されると、洗浄水及び厨芥の排出口１１８ａへの流れは、回転板１０４と共に回転される移動突起１１２によって促進され、排出部１１８からの排出流量が増大する。即ち、回転板１０４がＤ２方向に回転されると、排出口１１８ａ付近の厨芥及び洗浄水は、移動突起１１２によって、排出口１１８ａへ向かうように移動される。このため、排出口１１８ａからの厨芥及び洗浄水の流出が促進され、排出流量が増大する。排出口１１８ａからの厨芥及び洗浄水の排出流量が増大することによって、厨芥処理室１０２内の厨芥は急速に下流に排出され、排水配管の詰まりが防止される。
【００５８】
コントローラ１２４は、図９におけるＤ２方向にモーター６を所定時間回転させた後、モーター６に制御信号を送り、モーター６を停止させる。本実施形態においては、コントローラ１２４は、モーター６を約５秒間Ｄ２方向に回転させた後、停止させる。コントローラ１２４は、モーター６を停止させた後、粉砕処理の終了を使用者に報知するため報知音を鳴動させる。粉砕処理の終了を知らされた使用者は、水栓１１６を閉鎖し、吐水を終了させて、１回の粉砕処理が終了する。
【００５９】
本発明の第２実施形態の厨芥処理装置によれば、厨芥処理室内の厨芥は、固定突起と移動突起の間で剪断されるように粉砕されるので、特に繊維状の厨芥を効果的に粉砕することができる。また、本実施形態の厨芥処理装置によれば、移動突起の回転方向等により水位を制御しているので、排出口を開閉するための特別な手段を設けることなく、厨芥及び洗浄水を厨芥処理室内に滞留させ、厨芥処理室内の水位を制御することができる。
【００６０】
上述した実施形態においては、コントローラ１２４は、モーター６を所定時間Ｄ１方向に回転させた後、回転方向を逆転させているが、変形例として、厨芥の処理量に応じてモーター６を回転させる時間を変化させても良い。例えば、モーターの負荷に比例するモーターの電流値を検出し、この電流値が所定値以下になったとき、モーターの負荷が減少したと判断して、回転方向を逆転させても良い。このような構成された本変形例によれば、例えば、厨芥処理量が少ない場合には、モーター６をＤ１方向に１０秒程度回転させた後、Ｄ２方向に５秒程度回転させる動作となり、厨芥処理量が多い場合には、Ｄ１方向に５０秒程度回転させた後、Ｄ２方向に５秒程度回転させる動作となる。
【００６１】
次に、図１０及び図１１を参照して、本発明の第３実施形態による厨芥処理装置を説明する。なお、本実施形態による厨芥処理装置は、攪拌手段、下側粉砕手段等の構成が、第２実施形態とは異なる。従って、ここでは、本発明の第３実施形態の、第２実施形態とは異なる点のみを説明し、同様の構成要素には同一の符号を付して説明を省略する。
【００６２】
図１０は、本発明の第３実施形態による厨芥処理装置全体を示す断面図である。図１１は、図１０のXI−XI線に沿う、厨芥処理装置の厨芥処理室の下部を示す断面斜視図である。
【００６３】
図１０に示すように、本発明の第３実施形態による厨芥処理装置２００は、シンクＳの下部に配置された厨芥処理室２０２と、この厨芥処理室２０２の中間部に、水平方向に配置された円板状の回転板２０４と、回転板２０４を回転駆動するモーター６と、を有する。また、回転板２０４の上面には２つのスイングハンマー８が取り付けられている。また、厨芥処理室２０２の内壁の、スイングハンマー８に対向する部分には固定刃１０が取り付けられている。本実施形態において、スイングハンマー８及び固定刃１０は、上側粉砕手段を構成する。
さらに、モーター６の出力軸６ａの中間部には、攪拌手段である羽根２１２、及びその先端に取り付けられた下側粉砕手段である切断ブレード２１４が取り付けられている。また、厨芥処理室２０２の下部内壁には、厨芥処理室２０２内の洗浄水の適切な流れを生成する４つの円周突起２１５が形成されている。また、厨芥処理室２０２の下部には、排出口２１８ａが形成された排出部２１８が設けられている。さらに、厨芥処理装置２００は、モーター６の回転を制御するコントローラ２２４を有する。
【００６４】
厨芥処理室２０２は、投入口２０２ａを備え、この投入口２０２ａは、シンクＳの排水口Ｓ１と連通するように配置されている。また、厨芥処理室２０２は、概ね円筒状であり、上端の投入口２０２ａにおいて内径が小さく、回転板２０４が配置されている中間部付近から下方において内径が大きくなるように形成されている。また、厨芥処理室２０２の底面から、モーター６の出力軸６ａが鉛直上方に延び、その上端には回転板２０４が取り付けられている。回転板２０４は円形の金属板であり、その中心がモーター６の出力軸６ａに取り付けられて、厨芥処理室２０２の内部で回転駆動される。また、回転板２０４の周縁部には、主に洗浄水を回転板２０４の下に流出させるための１２個の円孔が空けられている。
【００６５】
さらに、図１０に示すように、回転板２０４の上面には、２つのスイングハンマー８が取り付けられている。また、厨芥処理室２０２の内周壁の、スイングハンマー８に対向する位置には、固定刃１０が取り付けられている。
【００６６】
次に、図１０及び図１１に示すように、攪拌手段である羽根２１２は、厨芥処理室２０２の底面から上方に延びるモーター６の出力軸６ａの中間部に取り付けられている。２枚の羽根２１２は、出力軸６ａに対して対称の位置に、即ち、出力軸６ａの両側に一直線に延びるように配置されている。各羽根２１２は、鉛直方向に向けられた長方形板状の部材によって構成されている。さらに、各羽根２１２の先端には、下側粉砕手段である切断ブレード２１４が取り付けられており、この切断ブレード２１４は、水平方向に向けられた細長い長方形板状の形状を有し、周縁部が薄くなるように形成されている。
【００６７】
さらに、厨芥処理室２０２の内周下部には、４つの円周突起２１５が形成されている。この円周突起２１５は、四角柱状の形状を有し、厨芥処理室２０２の内周壁に９０゜ずつ間隔を空けて配置されている。各円周突起２１５は、厨芥処理室２０２の底面から、回転板２０４よりも僅かに下方の位置まで延びている。また、各円周突起２１５の中間部には、切断ブレード２１４を通過させるためのスリットが形成されており、回転する切断ブレード２１４がこのスリットを通過するとき、それらの間で厨芥を剪断するように構成されている。
【００６８】
また、厨芥処理室２０２の下部には、排出部２１８が形成されている。排出部２１８は、厨芥処理室２０２の接線方向に延びる円筒形のパイプ状であり、厨芥処理室２０２の下部側面の内壁に、その中心に対して偏心して形成された排出口２１８ａに連通している。この構成により、厨芥処理室２０２内の粉砕された厨芥及び洗浄水の排出口２１８ａへの流れは、羽根２１２が図１１におけるＤ１方向に回転されたときは妨げられ、羽根２１２がＤ２方向に回転されたときは促進される。
【００６９】
また、コントローラ２２４は、モーター６に制御信号を出力し、モーター６を正転、逆転又は停止させるように構成されている。具体的には、コントローラ２２４は、マイクロプロセッサ、メモリ、及びそれらを作動させるプログラム（以上図示せず）等から構成されている。
【００７０】
次に、本発明の第３実施形態による厨芥処理装置２００の作用を説明する。まず、使用者は、粉砕すべき厨芥を、投入口２０２ａを介して厨芥処理室２０２内に投入すると共に、シンクＳに隣接して設けられた水栓２１６から吐水させる。この水栓２１６からの吐水は、毎分８リットル程度の流量であるのが良い。次いで、使用者は、シンクＳの排水口Ｓ１の蓋を閉め、厨芥処理装置２００の作動スイッチ（図示せず）を操作する。厨芥処理装置２００が作動されると、コントローラ２２４によってモーター６が起動され、回転板２０４が図１１におけるＤ１方向に回転される。なお、本実施形態においては、回転板２０４は、毎分約２０００回転の回転数でＤ１方向に回転駆動される。好ましくは、回転板２０４の回転数は、毎分１５００乃至３０００回転にする。
【００７１】
モーター６が作動されると、回転板２０４上の厨芥は、スイングハンマー８と固定刃１０の間に挟まれ、すり潰されるように粉砕される。スイングハンマー８及び固定刃１０によって粉砕された厨芥は、水栓２１６から吐水され、厨芥処理室２０２内に流入した洗浄水と共に、回転板２０４の周縁と厨芥処理室２０２の内壁の間を通って回転板２０４の下に落下する。
【００７２】
回転板２０４はＤ１方向に回転されているため、回転板２０４の下に落下した洗浄水及び厨芥の排出口２１８ａへの流れは、回転板１０４と共に回転される羽根２１２によって妨げられ、排出部２１８からの排出流量は減少する。即ち、回転板２０４がＤ１方向に回転されると、排出口２１８ａ付近の厨芥及び洗浄水は、羽根２１２によって、排出口２１８ａから遠ざかるように移動される。このため、排出口２１８ａからの厨芥及び洗浄水の流出が妨げられ、排出流量が減少する。排出部２１８からの排出流量が減少することにより、厨芥処理室２０２内に洗浄水が滞留し、厨芥処理室２０２内の水位が上昇する。本実施形態においては、厨芥処理室２０２内の水位は、回転板２０４の高さ付近まで上昇した位置で平衡状態となる。従って、本実施形態においては、偏心して形成された排出口２１８ａ、及び厨芥及び洗浄水を排出口２１８ａから遠ざかるように移動させる羽根２１２及びモーター６が、水位制御手段として機能する。
【００７３】
厨芥処理室２０２内に滞留した洗浄水及び厨芥は、回転板２０４と共に回転される羽根２１２によって攪拌される。また、切断ブレード２１４が回転され、円周突起２１５のスリットにさしかかると、厨芥は、円周突起２１５と切断ブレード２１４の間で剪断され、微粉砕される。厨芥処理室２０２内に洗浄水は、羽根２１２によって十分に攪拌されているので、水面に浮遊しやすい厨芥も洗浄水の中に沈められ、円周突起２１５と切断ブレード２１４の間で容易に粉砕される。さらに、本実施形態の厨芥処理装置２００では、回転板２０４上で粉砕された厨芥及び洗浄水が、厨芥処理室２０２内にある程度滞留するので、厨芥は、円周突起２１５及び切断ブレード２１４によって何回も剪断され、微粉砕される。
【００７４】
コントローラ２２４は、図１１におけるＤ１方向にモーター６を所定時間回転させた後、モーター６に制御信号を送り、モーター６を図１１におけるＤ２方向に回転させる。本実施形態においては、コントローラ２２４は、モーター６を約４０秒間Ｄ１方向に回転させた後、Ｄ２方向に回転させる。また、本実施形態においては、回転板２０４は、毎分約２０００回転の回転数でＤ２方向に回転駆動される。好ましくは、回転板２０４の回転数は、毎分１５００乃至３０００回転にする。
【００７５】
モーター６がＤ２方向に回転されると、洗浄水及び厨芥の排出口２１８ａへの流れは、回転板２０４と共に回転される羽根２１２によって促進され、排出部２１８からの排出流量が増大する。即ち、回転板２０４がＤ２方向に回転されると、排出口２１８ａ付近の厨芥及び洗浄水は、羽根２１２によって、排出口２１８ａへ向かうように移動される。このため、排出口２１８ａからの厨芥及び洗浄水の流出が促進され、排出流量が増大する。排出口２１８ａからの厨芥及び洗浄水の排出流量が増大することによって、厨芥処理室２０２内の厨芥は急速に下流に排出され、排水管の詰まりが防止される。
【００７６】
コントローラ２２４は、図１１におけるＤ２方向にモーター６を所定時間回転させた後、モーター６に制御信号を送り、モーター６を停止させる。本実施形態においては、コントローラ２２４は、モーター６を約５秒間Ｄ２方向に回転させた後、停止させる。コントローラ２２４は、モーター６を停止させた後、粉砕処理の終了を使用者に報知するため報知音を鳴動させる。粉砕処理の終了を知らされた使用者は、水栓２１６を閉鎖し、吐水を終了させて、１回の粉砕処理が終了する。
【００７７】
本発明の第３実施形態の厨芥処理装置よれば、羽根及び切断ブレードは、回転板を駆動する出力軸と共に回転されるので、特別な駆動手段を設けることなく、羽根を回転させ、厨芥処理室内に滞留する厨芥を回転する切断ブレードによって粉砕することができる。
【００７８】
上述した実施形態においては、コントローラ２２４は、モーター６を所定時間Ｄ１方向に回転させた後、回転方向を逆転させているが、上述した第２実施形態の変形例と同様に、厨芥の処理量に応じてモーター６を回転させる時間を変化させても良い。或いは、厨芥処理室２０２内の水位を検出するセンサを設けておき、このセンサによって検出された水位に応じてモーター６の回転数、回転方向を制御して、厨芥処理室２０２内の水位を回転板２０４の高さ付近に維持するように構成することもできる。
【００７９】
また、上述した実施形態においては、切断ブレード２１４は、出力軸６ａの両側に設けられた２枚のみであったが、２枚以上の切断ブレード２１４を放射状に設けても良いし、切断ブレード２１４を鉛直方向に多段に配置しても良い。
【００８０】
以上、本発明の好ましい実施形態を説明したが、上述した実施形態に種々の変更を加えることができる。特に、上述した実施形態では、厨芥処理装置の投入口をシンクの排水口に連通させて設けていたが、厨芥処理装置をシンクとは別に設置することもできる。
【図面の簡単な説明】
【００８１】
【図１】本発明の第１実施形態による厨芥処理装置全体を示す断面図である。
【図２】本発明の第１実施形態による厨芥処理装置に使用されている回転板の上面側を示す斜視図である。
【図３】本発明の第１実施形態による厨芥処理装置に使用されている回転板の下面側を示す斜視図である。
【図４】図１のIV−IV線に沿う厨芥処理室の下部を示す断面斜視図である。
【図５】厨芥処理室の排出口に設けられたフラッパ弁の作用を示す断面図である。
【図６】本発明の第２実施形態による厨芥処理装置全体を示す断面図である。
【図７】本発明の第２実施形態による厨芥処理装置に使用されている回転板の上面側を示す斜視図である。
【図８】本発明の第２実施形態による厨芥処理装置に使用されている回転板の下面側を示す斜視図である。
【図９】図６のIX−IX線に沿う厨芥処理室の下部を示す断面斜視図である。
【図１０】本発明の第３実施形態による厨芥処理装置全体を示す断面図である。
【図１１】図１０のXI−XI線に沿う厨芥処理室の下部を示す断面斜視図である。
【符号の説明】
【００８２】
Ｓ        シンク
Ｓ１      排水口
１        本発明の第１実施形態による厨芥処理装置
２        厨芥処理室
２ａ      投入口
２ｂ      吐水口
４        回転板
４ａ      円孔
６        モーター
６ａ      出力軸
８        スイングハンマー
８ａ      回転軸
１０      固定刃
１２      羽根
１４      切断ブレード
１５      円周突起
１６      給水装置
１６ａ    給水弁
１６ｂ    バキュームブレーカ
１６ｃ    給水管路
１８      排出部
１８ａ    排出口
２０      フラッパ弁
２０ａ    支軸
２２      圧力計
２４      コントローラ
１００    本発明の第２実施形態による厨芥処理装置
１０２    厨芥処理室
１０４    回転板
１１２    移動突起
１１４    固定突起
１１６    水栓
１１８    排出部
１１８ａ  排出口
１２４    コントローラ
２００    本発明の第３実施形態による厨芥処理装置
２０２    厨芥処理室
２０４    回転板
２１２    羽根
２１４    切断ブレード
２１６    水栓
２１８    排出部
２１８ａ  排出口
２２４    コントローラ
【図１】
2006297186.tif 000003
【図２】
2006297186.tif 000004
【図３】
2006297186.tif 000005
【図４】
2006297186.tif 000006
【図５】
2006297186.tif 000007
【図６】
2006297186.tif 000008
【図７】
2006297186.tif 000009
【図８】
2006297186.tif 000010
【図９】
2006297186.tif 000011
【図１０】
2006297186.tif 000012
【図１１】
2006297186.tif 000013